(57)【要約】【課題】通信処理装置ソフトウェアの開発の試験を正確かつ効率的に実施する通信処理装置試験方法を提供する。【解決手段】試験支援装置１は、ネットワークＮにおいて実際に運用されている運用通信処理装置９から、当該通信処理装置９において処理される入出力信号を取得する。次に、取得した入力信号に基づいて、運用通信処理装置９に発せられた呼と同様の疑似呼を試験対象となる試験対象通信処理装置８に対して投入するように、疑似呼装置７に指令を送信する。疑似呼装置７は、当該指令を受けて疑似呼を投入し、試験対象通信処理装置８の試験を行ない、その処理の結果を試験支援装置１に送信する。試験支援装置１においては、運用通信処理装置９から得た出力信号と、試験対象通信処理装置８の出力信号とを比較することにより、正常性判断を行う。【選択図】　　　　図１
2004064695.tif 000002
【特許請求の範囲】
【請求項１】
試験対象となる通信処理装置に対して疑似呼を投入する疑似呼装置に、該疑似呼を投入するための指令を与えて該通信処理装置の試験を行なうための試験支援装置であって、
ネットワークにおいて実際に運用されている特定の通信処理装置に入出力された入出力信号を取得することにより、該ネットワークにおいて特定の通信処理装置に発せられた呼とそれに対して該特定の通信処理装置が行なった処理の結果とを得る入出力信号取得手段と、
前記入力信号の取得に基づいて、前記疑似呼装置が前記特定の通信処理装置に発せられた呼と同様の疑似呼を前記試験対象となる通信処理装置に投入するための指令を生成し、該疑似呼装置に送出する指令送出手段と、
前記試験対象となる通信処理装置が前記疑似呼に対して行なった処理の結果と、前記入出力信号取得手段において取得した出力信号に基づいて特定される、前記特定の通信処理装置が前記呼に対して行った処理の結果と、を比較する比較手段と、
を有し、前記比較手段による比較結果に基づいて前記試験対象となる通信処理装置の正常性判断を行なうことを特徴とする試験支援装置。
【請求項２】
前記試験対象となる通信処理装置が前記疑似呼に対して行なった処理の結果を受信して、前記試験対象となる通信処理装置における出力信号の形式に変換する出力信号変換手段を、更に、含み、
前記比較手段は、前記出力信号変換手段によって変換された出力信号と、前記入出力信号取得手段により取得した前記特定の通信処理装置の出力信号と、を比較することを特徴とする請求項１に記載の試験支援装置。
【請求項３】
前記入出力信号取得手段により取得する入力信号及び出力信号から、入力信号を振り分ける振り分け手段を、更に、有し、
前記指令送出手段は、前記振り分け手段により入出力信号から振り分けられた入力信号に基づいて、前記指令を生成することを特徴とする請求項１又は２に記載の試験支援装置。
【請求項４】
通信処理装置の試験を行なうために用いられる疑似呼装置であって、
ネットワークにおいて実際に運用されている特定の通信処理装置に入出力された入出力信号を取得し、該入力信号の取得に応じて送出される外部装置からの指令に基づいて、
前記特定の通信処理装置に発せられた呼と同様の疑似呼を前記試験対象となる通信処理装置に投入することを特徴とする疑似呼装置。
【請求項５】
請求項１〜３のいずれか１項に記載の試験支援装置を制御するプログラムであって、
前記特定の通信処理装置に入出力された入出力信号を取得することにより、該ネットワークにおいて特定の通信処理装置に発せられた呼とそれに対して該特定の通信処理装置が行なった処理の結果とを得る入出力信号取得ステップと、
前記入力信号の取得に基づいて、前記疑似呼装置が前記特定の通信処理装置に発せられた呼と同様の疑似呼を前記試験対象となる通信処理装置に投入するための指令を生成し、該疑似呼装置に送出する指令送出ステップと、
前記試験対象となる通信処理装置が前記疑似呼に対して行なった処理の結果と、前記入出力信号取得ステップにおいて取得した出力信号に基づいて特定される、前記特定の通信処理装置が前記呼に対して行った処理の結果と、を比較する比較ステップと、
を有することを特徴とする試験支援装置制御プログラム。
【請求項６】
前記試験対象となる通信処理装置が前記疑似呼に対して行なった処理の結果を受信して、前記試験対象となる通信処理装置における出力信号の形式に変換する出力信号変換ステップを、更に、含み、
前記比較ステップにおいては、前記出力信号変換ステップによって変換された出力信号と、前記入出力信号取得ステップにより取得した前記特定の通信処理装置の出力信号と、を比較することを特徴とする請求項５に記載の試験支援装置制御プログラム。
【請求項７】
前記入出力信号取得ステップにより取得する入力信号及び出力信号から、入力信号を振り分ける振り分けステップを、更に、有し、
前記指令送出ステップにおいては、前記振り分けステップにより入出力信号から振り分けられた入力信号に基づいて、前記指令を生成することを特徴とする請求項５又は６に記載の試験支援装置制御プログラム。
【請求項８】
ネットワークにおいて発生する呼について処理する通信処理装置の試験を行なうための試験方法であって、
ネットワークにおいて実際に運用されている特定の通信処理装置における入出力信号を取得することにより、該ネットワークにおいて特定の通信処理装置に発せられた呼とそれに対して該特定の通信処理装置が行なった処理の結果とを得る取得ステップと、
前記入力信号の取得に基づいて、前記特定の通信処理装置に発せられた呼と同様の疑似呼を生成し、試験環境におかれた試験対象となる通信処理装置に対して投入する投入ステップと、
前記試験対象となる通信処理装置が前記疑似呼に対して行なった処理の結果と、前記取得ステップにおいて取得した出力信号に基づいて特定される、前記特定の通信処理装置が前記呼に対して行った処理の結果と、を比較する比較ステップと、
を有し、前記比較ステップにおける比較結果に基づいて前記試験対象となる通信処理装置の正常性判断を行なうことを特徴とする通信処理装置試験方法。
【請求項９】
前記取得ステップにおいては、前記試験対象となる通信処理装置と同様の通信処理機能を有する前記特定の通信処理装置から入出力信号を取得することを特徴とする請求項８に記載の通信処理装置試験方法。
【発明の詳細な説明】
【０００１】
【発明に属する技術分野】
本発明は試験支援装置、疑似呼装置、試験支援装置制御プログラム、及び、通信処理装置試験方法に関し、特にソフトウェアの開発及びプラグ開発を行った通信処理装置における動作の正常性判断を行なうための試験支援装置、疑似呼装置、試験支援装置制御プログラム、及び、通信処理装置試験方法に関する。
【０００２】
【従来の技術】
従来、交換機等の通信処理装置ソフトウェアを開発した際の試験では、ソフトウェアの変更箇所を試験するために人の考えた試験内容を疑似呼装置の形式にシナリオを組み試験することになる。ソフトウェア開発者は、ソフトウェアの変更した箇所ならびにその変更にかかわる箇所を認識し、それらを試験するための試験項目や内容の決定し、また試験項目の決定を基に疑似呼装置におけるシナリオ作成作業を実施する。
【０００３】
【発明が解決しようとうする課題】
上述のように、従来の試験では、ソフトウェア開発者が通信処理装置ソフトウェアの変更箇所ならびにその変更にかかわる箇所から試験項目や内容の決定する作業や、それらを試験するための疑似呼装置のシナリオ作成を実施しているため、膨大な作業時間を要している。また、シナリオ作成を人手により行うことから、単純ミスや認識不足等による試験漏れ、試験誤りが発生し、プログラムファイル品質の劣化につながっている。これは、運用ネットワーク上の通信処理装置のサービス停止、またシステム停止、ダウン等におよぶ恐れがある。
【０００４】
本発明の目的は、通信処理装置ソフトウェアの開発の試験を正確かつ効率的に実施すると共に、想定される既存動作を保証するだけでなく、実際の運用上で起こり得る問題の早期発見も可能な試験支援装置、疑似呼装置、試験支援装置制御プログラム、及び、通信処理装置試験方法を提供することにある。
【０００５】
【課題を解決するための手段】
本発明の請求項１による試験支援装置は、試験対象となる通信処理装置に対して疑似呼を投入する疑似呼装置に、該疑似呼を投入するための指令を与えて該通信処理装置の試験を行なうための試験支援装置であって、
ネットワークにおいて実際に運用されている特定の通信処理装置に入出力された入出力信号を取得することにより、該ネットワークにおいて特定の通信処理装置に発せられた呼とそれに対して該特定の通信処理装置が行なった処理の結果とを得る入出力信号取得手段と、
前記入力信号の取得に基づいて、前記疑似呼装置が前記特定の通信処理装置に発せられた呼と同様の疑似呼を前記試験対象となる通信処理装置に投入するための指令を生成し、該疑似呼装置に送出する指令送出手段と、
前記試験対象となる通信処理装置が前記疑似呼に対して行なった処理の結果と、前記入出力信号取得手段において取得した出力信号に基づいて特定される、前記特定の通信処理装置が前記呼に対して行った処理の結果と、を比較する比較手段と、
を有し、前記比較手段による比較結果に基づいて前記試験対象となる通信処理装置の正常性判断を行なうことを特徴とする。
【０００６】
通信処理装置が処理する入出力信号を取得すれば、これに基づいてどのような呼が発せられたかを特定することができる。これを利用して、ネットワークにおいて実際に運用されている通信処理装置から入出力信号を取得し、これにより呼を特定して、同様の疑似呼を発生させるための指令を疑似呼装置に送出することにより、試験環境にある通信処理装置においても実際のネットワーク環境と同様の呼処理を行わせて、試験することができる。このため、従来のように、実際の運用におけるあらゆる状態を想定して、必要な試験項目を列挙し、それに基づいて疑似呼装置を用いた試験実行のためのシナリオを作成する必要がなくなり、シナリオ作成に要していた膨大な手間を省くことができる。また、シナリオ作成、試験実行時に生じていた試験漏れや、認識不足による試験誤りを防ぐことができる。更に、実際の運用と同様の疑似呼が投入されるため、既存動作の保証強化、及び、運用上起こりうる問題を試験段階において早期発見することが可能になる。
【０００７】
本発明の請求項２による試験支援装置は、請求項１において、前記試験対象となる通信処理装置が前記疑似呼に対して行なった処理の結果を受信して、前記試験対象となる通信処理装置における出力信号の形式に変換する出力信号変換手段を、更に、含み、
前記比較手段は、前記出力信号変換手段によって変換された出力信号と、前記入出力信号取得手段により取得した前記特定の通信処理装置の出力信号と、を比較することを特徴とする。
【０００８】
試験対象となる通信処理装置から得た処理の結果を当該通信処理装置における出力信号の形式に変換することにより、運用上の特定の通信処理装置から取得する出力信号と形式をそろえて、出力信号同士の比較が可能になる。また、このような出力信号変換手段を設けることにより、全ての試験対象となる通信処理装置に信号線を接続して個々に信号を取得することなく、試験対象となる通信処理装置における通信を管理する疑似呼装置からまとめて試験結果を受信することができる。
【０００９】
本発明の請求項３による試験支援装置は、請求項１又は２において、前記入出力信号取得手段により取得する入力信号及び出力信号から、入力信号を振り分ける振り分け手段を、更に、有し、
前記指令送出手段は、前記振り分け手段により入出力信号から振り分けられた入力信号に基づいて、前記指令を生成することを特徴とする。
【００１０】
本発明の請求項４による疑似呼装置は、通信処理装置の試験を行なうために用いられる疑似呼装置であって、
ネットワークにおいて実際に運用されている特定の通信処理装置に入出力された入出力信号を取得し、該入力信号の取得に応じて送出される外部装置からの指令に基づいて、
前記特定の通信処理装置に発せられた呼と同様の疑似呼を前記試験対象となる通信処理装置に投入することを特徴とする。
【００１１】
疑似呼装置をこのような構成とすることにより、請求項１〜３に記載されるような試験支援装置とともに用いて、ネットワークにおいて実際に運用されている通信処理装置において発せられた呼と同様の疑似呼を試験対象となる通信処理装置に対して投入し、請求項１〜３にかかる発明について上述した作用、及び、効果を得ることができる。
【００１２】
本発明の請求項５による試験支援装置制御プログラムは、請求項１〜３のいずれか１項に記載の試験支援装置を制御するプログラムであって、
前記特定の通信処理装置に入出力された入出力信号を取得することにより、該ネットワークにおいて特定の通信処理装置に発せられた呼とそれに対して該特定の通信処理装置が行なった処理の結果とを得る入出力信号取得ステップと、
前記入力信号の取得に基づいて、前記疑似呼装置が前記特定の通信処理装置に発せられた呼と同様の疑似呼を前記試験対象となる通信処理装置に投入するための指令を生成し、該疑似呼装置に送出する指令送出ステップと、
前記試験対象となる通信処理装置が前記疑似呼に対して行なった処理の結果と、前記入出力信号取得ステップにおいて取得した出力信号に基づいて特定される、前記特定の通信処理装置が前記呼に対して行った処理の結果と、を比較する比較ステップと、
を有することを特徴とする。
【００１３】
本発明の請求項６による試験支援装置制御プログラムは、請求項５において、前記試験対象となる通信処理装置が前記疑似呼に対して行なった処理の結果を受信して、前記試験対象となる通信処理装置における出力信号の形式に変換する出力信号変換ステップを、更に、含み、
前記比較ステップにおいては、前記出力信号変換ステップによって変換された出力信号と、前記入出力信号取得ステップにより取得した前記特定の通信処理装置の出力信号と、を比較することを特徴とする。
【００１４】
本発明の請求項７による試験支援装置制御プログラムは、請求項５又は６において、前記入出力信号取得ステップにより取得する入力信号及び出力信号から、入力信号を振り分ける振り分けステップを、更に、有し、
前記指令送出ステップにおいては、前記振り分けステップにより入出力信号から振り分けられた入力信号に基づいて、前記指令を生成することを特徴とする。
【００１５】
本発明の請求項８による通信処理装置試験方法は、ネットワークにおいて発生する呼について処理する通信処理装置の試験を行なうための試験方法であって、
ネットワークにおいて実際に運用されている特定の通信処理装置における入出力信号を取得することにより、該ネットワークにおいて特定の通信処理装置に発せられた呼とそれに対して該特定の通信処理装置が行なった処理の結果とを得る取得ステップと、
前記入力信号の取得に基づいて、前記特定の通信処理装置に発せられた呼と同様の疑似呼を生成し、試験環境におかれた試験対象となる通信処理装置に対して投入する投入ステップと、
前記試験対象となる通信処理装置が前記疑似呼に対して行なった処理の結果と、前記取得ステップにおいて取得した出力信号に基づいて特定される、前記特定の通信処理装置が前記呼に対して行った処理の結果と、を比較する比較ステップと、
を有し、前記比較ステップにおける比較結果に基づいて前記試験対象となる通信処理装置の正常性判断を行なうことを特徴とする。
【００１６】
これにより、請求項１にかかる発明と同様の作用により、上述した同様の効果を得ることができる。例えば、試験支援装置及び疑似呼装置のような別々の装置として構成されていない場合や、更に別の装置を含む場合にも本項記載のステップを実行することもできる。
本発明の請求項９による通信処理装置試験方法は、請求項８において、前記取得ステップにおいては、前記試験対象となる通信処理装置と同様の通信処理機能を有する前記特定の通信処理装置から入出力信号を取得することを特徴とする。
【００１７】
これにより、出力信号の比較時に、同様の条件となるように換算等を行うことなく、そのまま比較を行うことができる。このように、試験時には試験目的に応じて、ネットワークにおいて実際に運用されている通信処理装置を特定することが望ましい。
【００１８】
【発明の実施の形態】
次に、図面を参照して本発明の実施の形態について説明する。なお、以下の説明において参照する各図においては、他の図と同等の部分が同一符号によって示されている。
図１は、本実施形態にかかる通信処理装置自動試験システムの構成を示すブロック図である。まず、同図を用いて本実施の形態にかかる通信処理自動試験システムの全体構成について説明する。同図の通信処理装置自動試験システムは、ネットワークＮ上で実際に運用されている運用通信処理装置９と、試験支援装置１と、疑似呼装置７と、試験対象となる試験対象通信処理装置８と、を含んで構成されている。
【００１９】
運用通信処理装置９は、ネットワークＮを構成する装置であり、例えば、交換機や、移動通信網において用いられるＨＬＲ（ホームロケーションレジスタ）などがある。本発明においては、ネットワークＮ上で実際に運用されている通常は複数の通信処理装置の中から任意に特定した通信処理装置を用いる。ネットワークＮには、例えば、移動通信網や固定電話網などがある。
【００２０】
試験支援装置１は、通信処理装置用に開発されたプログラム等が正常性に動作するかを判断するために行う試験を支援するための装置である。試験支援装置１は、運用通信処理装置９に信号線Ｌ１を介して接続されて、運用通信処理装置９に入出力される信号を受信する。図中の信号線Ｌ１〜Ｌ１４の矢印は、信号が送信される方向を示す。この入出力信号に基づいて、疑似呼装置７が特定の通信処理装置９に発せられた呼と同様の疑似呼を試験対象通信処理装置８に投入するための指令を生成する。
【００２１】
また、試験支援装置１は、疑似呼装置７とも信号線Ｌ６，Ｌ９を介して通信可能となっており、生成した指令を疑似呼装置７に送出する。更に、指令の送出によって試験対象通信処理装置８において行われた処理の結果は、疑似呼装置７を介して、試験支援装置１に送信される。試験支援装置１は、この試験対象通信処理装置８による処理の結果と、運用通信処理装置９による処理の結果とを比較して、試験対象通信処理装置８の正常性判断を行なう。この試験支援装置１の詳細な構成及び動作は、後述する。
【００２２】
疑似呼装置７は、試験支援装置１と、試験対象となる試験対象通信処理装置８に信号線Ｌ６，Ｌ９を介して接続され、それぞれの装置と通信可能になっている。試験支援装置１から受信する指令に基づいて、試験対象となる試験対象通信処理装置８に対する疑似的な呼を生成、投入する。投入された呼に基づいて、試験対象となる試験対象通信処理装置８においてなされた処理の結果を、当該試験対象通信処理装置８から受信し、試験支援装置１に送信する。
【００２３】
試験対象通信処理装置８は、試験対象となる通信処理装置であって、試験後には、上述のようなネットワークＮにおいて運用されこととなる交換機等の通信処理装置である。
（試験支援装置、及び、試験支援装置制御プログラム）
試験支援装置の詳細な構成は、図１に示されている。同図の試験支援装置１は、運用通信処理装置９及び疑似呼装置７と試験支援装置１との通信を制御するための送受信機２１と、振分機能部２２と、変換機能部２３と、運用通信処理装置９に関するデータを保持するための記憶媒体３１と、試験対象通信処理装置８に関するデータを保持するための記憶媒体３２と、比較機能部２４と、各部を接続する信号線Ｌ１〜Ｌ１４と、を含んで構成されている。
【００２４】
以下、図１のブロック図及び図２のフローチャートを用いて、これら各部による試験支援装置１の詳細な動作を説明する。
ステップＳ２０１においては、送受信機２１が、運用通信処理装置９において処理されている入出力信号を、ある一定期間受信する。この入力信号はネットワークＮにおいて運用通信処理装置９に発せられた呼に、出力信号は呼に対して当該運用通信処理装置９が行なった処理の結果に、それぞれ対応するものである。
【００２５】
ステップＳ２０２においては、振分機能部２２が送受信機２１により転送される入出力信号から入力信号を取り出す。この取り出された入力信号は、変換機能部２３に転送される。また、振分機能部２２は、入出力信号を運用通信処理装置９に関するデータを保持するための記憶媒体３１に格納する。
ステップＳ２０３においては、ステップＳ２０２において振分機能部２２より転送された入力信号に基づいて、変換機能部２３が疑似呼装置７に送出する指令を生成する。この指令は、上述のように、疑似呼装置７によって、運用通信処理装置９に発せられた呼と同様の疑似呼を試験対象通信処理装置８に投入するための指令である。この入力信号に基づく指令の生成は、例えば、入力信号と指令との対応テーブルを用いて行う。すなわち、例えば、ネットワークにおいて実際に運用されている交換機の入力信号群の中から、当該交換機に接続する通信端末から送信されるオフフックの信号を取り出して、この指令を生成する場合が考えられる。この場合には、対応テーブルを用いて、この「オフフックの入力信号」に対応する、「疑似呼装置が試験対象となる交換機に対しオフフックの信号を送出するための指令」を特定することができる。
【００２６】
変換機能部２３は、この生成された指令を記憶媒体３２に格納する。
ステップＳ２０４においては、ステップＳ２０３において生成された指令が、送受信機２１を介して、疑似呼装置７に送信される。
これにより、疑似呼装置７から試験対象通信処理装置８に対して疑似呼が投入されて、試験対象通信処理装置８においてその処理が行なわれる。
【００２７】
ステップＳ２０５においては、試験対象通信処理装置８による処理の結果が、疑似呼装置７を介して試験支援装置１に返送される。試験支援装置１の送受信機２１において受信された処理の結果は、変換機能部２３に転送される。
ステップＳ２０６においては、変換機能部２３は、返送されてきた試験対象通信処理装置８による処理の結果を、当該試験対象通信処理装置８における出力信号の形式に変換し、信号線Ｌ１２を介して記憶媒体３２に格納する。このように、出力信号の形式に変換することにより、後述するように、運用通信処理装置９から取得した出力信号との比較が可能になる。これと同時に、変換機能部２３は、変換後の出力信号に基づく比較処理を行なうように、比較機能部２４に対する命令信号を信号線Ｌ１１を介して送信する。
【００２８】
ステップＳ２０７においては、比較機能部２４が、運用通信処理装置９にて処理された出力信号と、試験対象通信処理装置８にて処理された出力信号と、をそれぞれ記憶媒体３１及び記憶媒体３２から取得し、比較する。
ステップＳ２０８においては、ステップＳ２０７における比較の結果、正常か否かを判断する。例えば、運用通信処理装置９と同様の疑似呼が試験対象通信処理装置８に投入された場合には、運用通信処理装置９の出力信号と、試験対象通信処理装置８の出力信号とが、同一である場合には正常、異なる場合には、異常と判断する。この判断結果は、操作端末画面に表示しあるいは試験結果ログファイルに書き込む等によって、ソフト開発者に試験結果を通知する。
（通信処理装置試験方法）
上述した通信処理装置自動試験システムにおいては、図３のフローチャートに示されるような通信処理装置試験方法が実現されている。すなわち、ネットワークにおいて実際に運用されている特定の通信処理装置における入出力信号を取得することにより、該ネットワークにおいて特定の通信処理装置に発せられた呼とそれに対して該特定の通信処理装置が行なった処理の結果とを得る取得ステップ（ステップＳ３０１）と、
上記入力信号の取得に基づいて、上記特定の通信処理装置に発せられた呼と同様の疑似呼を生成し、試験環境におかれた試験対象となる通信処理装置に対して投入する投入ステップ（ステップＳ３０２）と、
上記試験対象となる通信処理装置が上記疑似呼に対して行なった処理の結果を取得する試験結果受信ステップと（ステップＳ３０３）、
上記試験結果受信ステップにおいて受信した処理の結果と、上記取得ステップにおいて取得した出力信号に基づいて特定される、上記特定の通信処理装置が上記呼に対して行った処理の結果と、を比較する比較ステップと（ステップＳ３０４）、
を有し、上記比較ステップにおける比較結果に基づいて上記試験対象となる通信処理装置の正常性判断を行なう通信処理装置試験方法が実現されている。
【００２９】
また、上記投入ステップにおいては、上記特定の通信処理装置に対して発せられた呼と同様の時間間隔で、上記試験対象となる通信処理装置に上記疑似呼を投入することが望ましい。
更に、上記取得ステップにおいては、上記試験対象となる通信処理装置と同様の通信処理機能を有する上記特定の通信処理装置から入出力信号を取得することが望ましい。
【００３０】
請求項の記載に関し、本発明は更に以下の態様をとり得る。
（１）前記投入ステップにおいては、前記特定の通信処理装置に対して発せられた呼と同様の時間間隔で、前記試験対象となる通信処理装置に前記疑似呼を投入することを特徴とする請求項８に記載の通信処理装置試験方法。
これにより、実際の運用におけるトラヒックと同様のトラヒックで試験を行うことができる。例えば、ネットワークにおけるトラヒックの繁忙時に試験を行うことで、高トラヒック下においても試験対象となる通信処理装置が正常に動作するか否かの試験を行うこともできる。また、必ずしもリアルタイムに試験を行う必要はなく、繁忙時に特定の運用通信処理装置について取得する入出力信号についてのログをとり、当該ログデータに基づいて指令を生成、送出してもよい。
【００３１】
このような試験方法によれば、実際の運用におけるトラヒックと同様のトラヒックで試験を行うことができ、運用時のトラヒックのむらや高トラヒック時に発生する想定し得ない問題等についても早期発見することも可能となる。
尚、ネットワークにおいて実際に運用されている通信処理装置から取得する入力信号の全てに基づいて、指令を生成し、同様の疑似呼を試験対象となる通信装置に対して投入せずに、試験の目的に応じて、任意の入力信号を選択して、試験対象となる通信処理装置に投入することもできる。
【００３２】
また、ネットワークにおいて実際に運用されている特定の通信処理装置は、試験対象通信処理装置と１対１に対応させるだけでなく、ネットワークにおいて実際に運用されている複数の通信処理装置を特定することもできる。例えば、このような場合には、複数の特定の通信処理装置から入出力信号を取得し、それら複数種類の入力信号に基づいて、同様の複数種類の疑似呼を試験対象通信処理装置に投入するための指令を疑似呼装置に送出する。これにより、複数種類のパターンの呼を短時間で取得し、試験することができる。また、このような方法によれば、上述のような高トラヒックの状態を作り出すこともできる。
【００３３】
【発明の効果】
以上説明詳細に説明したように、本発明にかかる請求項１に記載の試験支援装置、請求項５に記載の試験支援装置制御プログラム、及び、請求項８に記載の通信処理装置試験方法によれば、自動的に正常性を判断するため、シナリオ作成にいたる膨大な作業時間の浪費、試験漏れ、認識不足による試験誤りによるプログラムファイル品質の劣化を防ぎ、通信処理装置ソフトウェアの開発の試験を正確かつ効率的に実施することができる。また、実際の運用に近い環境で試験を行うことができるため、既存動作の保証強化、及び、運用上起こり得る問題の早期発見も期待できプログラムファイルの品質向上が出来る。
【００３４】
本発明にかかる請求項２に記載の試験支援装置、及び、請求項６に記載の試験支援装置制御プログラムによれば、試験対象となる通信処理装置、及び、運用上の特定の通信処理装置それぞれによる処理の結果を、形式をあわせて比較することができる。また、このような出力信号変換手段を設けることにより、全ての試験対象となる通信処理装置に信号線を接続して個々に信号を取得することなく、試験対象となる通信処理装置における通信を管理する疑似呼装置からまとめて試験結果を受信することができる。
本発明にかかる請求項９に記載の通信処理装置試験方法によれば、出力信号の比較時に、同様の条件となるように換算等を行うことなく、そのまま比較を行うことができる。
【図面の簡単な説明】
【図１】本実施の形態にかかる通信処理装置自動試験システムの構成を示すブロック図である。
【図２】本実施の形態にかかる試験支援装置の動作を説明するフローチャートである。
【図３】本実施の形態にかかる通信処理装置試験方法を説明するフローチャートである。
【符号の説明】
１　　　　　　　　　　　　　　試験支援装置
２１　　　　　　　　　　　　送受信機
２２　　　　　　　　　　　　振分機能部
２３　　　　　　　　　　　　変換機能部
２４　　　　　　　　　　　　比較機能部
３１，３２　　　　　　記憶媒体
Ｌ１〜Ｌ１４　　　　信号線
７　　　　　　　　　　　　　　疑似呼装置
８　　　　　　　　　　　　　　試験対象通信処理装置
９　　　　　　　　　　　　　　運用通信処理装置
Ｎ　　　　　　　　　　　　　　ネットワーク
【図１】
2004064695.tif 000003
【図２】
2004064695.tif 000004
【図３】
2004064695.tif 000005